(57)【要約】  本発明は、睡眠時無呼吸改善及びいびき防止用枕に関し、睡眠者の頭及び首を支持する枕本体；及び前記枕本体の中心部に突出形成される支持突出部；を含み、前記支持突出部は、睡眠者の頭と接触する面積を増大できるように曲率パターン部からなり、前記曲率パターン部は、前記枕本体の表面から勾配が漸次増加する凹状の曲面を有する一対の第１曲面部と、前記一対の第１曲面部の先端を相互連結し、中央に向けて勾配が漸次緩やかに減少する凸状の曲面を形成した第２曲面部とから構成されたことを特徴とする。これによって、横向き寝の姿勢で睡眠を取る睡眠者の後頭部を一層楽な状態で支持することができ、それによる安楽な睡眠を誘導できるという効果がある。
2021523818.tif 000002
【特許請求の範囲】
【請求項１】
睡眠者の頭及び首を支持する枕本体；及び、
前記枕本体の中心部に突出形成される支持突出部；を含み、
前記支持突出部は、睡眠者の頭と接触する面積を増大できるように曲率パターン部からなり、前記曲率パターン部は、前記枕本体の表面から勾配が漸次増加する凹状の曲面を有する一対の第１曲面部と、前記一対の第１曲面部の先端を相互連結し、中央に向けて勾配が漸次緩やかに減少する凸状の曲面を形成した第２曲面部と、から構成されたことを特徴とする睡眠時無呼吸改善及びいびき防止用枕。
【請求項２】
前記支持突出部の内部には、支持突出部の形状及び強度を高めるためのインサートコアが設置され、
前記インサートコアは、前記枕本体の内部に設置される水平部材と、前記水平部材と直角な方向に立てられ、前記支持突出部内に位置する垂直部材と、から構成されたことを特徴とする、請求項１に記載の睡眠時無呼吸改善及びいびき防止用枕。
【請求項３】
前記枕本体を側面から見たとき、前記支持突出部及びインサートコアの両側面は、上方向に行くほど幅が緩やかに減少する屈曲の形態からなることを特徴とする、請求項２に記載の睡眠時無呼吸改善及びいびき防止用枕。
【請求項４】
前記枕本体及び支持突出部の一側には、前記インサートコアが着脱可能になるようにコア出入り口が形成されたことを特徴とする、請求項３に記載の睡眠時無呼吸改善及びいびき防止用枕。
【請求項５】
前記支持突出部及びインサートコアは、睡眠者の身体条件及び睡眠習慣に応じて高低を調節できる着脱式の複数の組立体構成からなることを特徴とする、請求項２から４のいずれか１項に記載の睡眠時無呼吸改善及びいびき防止用枕。
【請求項６】
前記枕本体には、中心部から両側端部に行くほど枕の厚さが増加する傾斜湾曲部が形成されたことを特徴とする、請求項５に記載の睡眠時無呼吸改善及びいびき防止用枕。
【請求項７】
前記枕本体の上面には、横向き寝の姿勢で睡眠を取る睡眠者の頭が動くことを最大限抑制すると同時に、睡眠者の耳を押さえる圧力を最小化し、負担を減少できるようにする頭支え溝が形成されたことを特徴とする、請求項６に記載の睡眠時無呼吸改善及びいびき防止用枕。
【発明の詳細な説明】
【技術分野】
【０００１】
本発明は、睡眠時無呼吸改善及びいびき防止用枕に関し、より詳細には、横向き寝の姿勢で睡眠を取る睡眠者の後頭部を安定的に支持すると同時に、仰向け寝の姿勢になることを防止できるようにし、睡眠者がいびきをかかずに長時間熟睡できる睡眠時無呼吸改善及びいびき防止用枕に関する。
【背景技術】
【０００２】
一般に、寝ているとき、首の周囲や舌の筋肉が緩み、内側に舌根などが垂れ下がって気道を狭めるので、空気が通過する度に、首内の壁が振動することによっていびきをかくようになる。特に、仰向け寝の状態で睡眠を取ったり、口を開けて寝るとき、舌根が垂れ下がりやすいのでいびきをかく。いびきは、寝ているときに空気の細い道が狭くなって起こるものであって、熟睡にも良くないだけでなく、うるさい音によって周囲の睡眠者に不便をかけるという問題を有する。
【０００３】
近年、図１に示したように、いびきを防止するための従来の技術として、一側に向けて寝る睡眠者の頭が正面に位置することを防止し、いびきが発生することを防止できる技術が開示されている。
【０００４】
すなわち、従来技術のいびき防止用枕１００は、中心部に中央突出部１４０を形成し、横向き寝の姿勢で睡眠を取る睡眠者の頭が正面に位置することを防止できるようにする。
【０００５】
しかし、従来技術に係るいびき防止用枕は、前記中央突出部１４０の構成が第１頭側面支持台１１２及び第２頭側面支持台１１４の材質と同一の素材であって、単純に一定高さだけ突出しているに過ぎないので、睡眠者が無意識に仰向け寝の姿勢になる動きによって前記中央突出部１４０を容易に乗り越えたり押さえ付けるようになり、睡眠者の頭が正面に位置し得るので、それによるいびき防止のための安定した姿勢を維持する機能が不足するという短所を有するだけでなく、長時間使用したとき、前記中央突出部１４０の弾性又は緩衝性が大きく低下し、いびき防止のための支持台としての機能を全く行えないという短所を有する。
【０００６】
また、従来のいびき防止用枕において、中央突出部１４０を基準にして一側の第１頭側面支持台１１２及び他側の第２頭側面支持台１１４は、表面位置に対する高低差が発生するものであって、前記第１頭側面支持台１１２に頭を置いて横向き寝の姿勢で睡眠を取る睡眠者が無意識に前記中央突出部１４０を乗り越えて第２頭側面支持台１１４に移動するとき、その表面高低による落差が大きく発生するので、睡眠者が眠りから覚めてしまい、熟睡を妨害するという問題を有する。
【発明の概要】
【発明が解決しようとする課題】
【０００７】
本発明は、前記のような問題を解決するためになされたものであって、横向き寝の姿勢で睡眠を取る睡眠者の後頭部を安定的に支持すると同時に、仰向け寝の姿勢になることを防止できるようにし、睡眠者がいびきをかかずに長時間熟睡できる睡眠時無呼吸改善及びいびき防止用枕を提供する。
【０００８】
また、本発明は、睡眠者の身体条件及び睡眠習慣に応じて支持突出部の高低を調節できる睡眠時無呼吸改善及びいびき防止用枕を提供する。
【課題を解決するための手段】
【０００９】
上述した目的を達成するために、本発明に係る睡眠時無呼吸改善及びいびき防止用枕は、睡眠者の頭及び首を支持する枕本体；及び前記枕本体の中心部に突出形成される支持突出部；を含み、前記支持突出部は、睡眠者の頭と接触する面積を増大できるように曲率パターン部からなり、前記曲率パターン部は、前記枕本体の表面から勾配が漸次増加する凹状の曲面を有する一対の第１曲面部と、前記一対の第１曲面部の先端を相互連結し、中央に向けて勾配が漸次緩やかに減少する凸状の曲面を形成した第２曲面部とから構成されたことを特徴とする。
【００１０】
前記支持突出部の内部には、支持突出部の形状及び強度を高めるためのインサートコアが設置され、前記インサートコアは、前記枕本体の内部に設置される水平部材と、前記水平部材と直角な方向に立てられ、前記支持突出部内に位置する垂直部材とから構成されたことを特徴とする。
【００１１】
前記枕本体を側面から見たとき、前記支持突出部及びインサートコアの両側面は、上方向に行くほど幅が緩やかに減少する屈曲の形態からなることを特徴とする。
【００１２】
前記枕本体及び支持突出部の一側には、前記インサートコアが着脱可能になるようにコア出入り口が形成されたことを特徴とする。
【００１３】
前記支持突出部及びインサートコアは、睡眠者の身体条件及び睡眠習慣に応じて高低を調節できる着脱式の複数の組立体構成からなることを特徴とする。
【００１４】
前記枕本体には、中心部から両側端部に行くほど枕の厚さが増加する傾斜湾曲部が形成されたことを特徴とする。
【００１５】
前記枕本体の上面には、横向き寝の姿勢で睡眠を取る睡眠者の頭が動くことを最大限抑制すると同時に、睡眠者の耳を押さえる圧力を最小化し、負担を減少できるようにする頭支え溝が形成されたことを特徴とする。
【発明の効果】
【００１６】
上述した構成の本発明によると、支持突出部は、睡眠者の頭と接触する面積を増大できる曲率パターン部を形成することによって、横向き寝の姿勢で睡眠を取る睡眠者の後頭部を一層楽な状態で支持することができ、それによる安楽な睡眠を誘導できるという効果がある。
【００１７】
また、本発明によると、前記支持突出部の内部には、支持突出部の形状及び強度を高めるためのインサートコアを構成することによって、支持突出部の形状及び構造が容易に変形することを防止できるだけでなく、横向き寝の姿勢で睡眠を取る睡眠者の頭が支持突出部を乗り越えようとする所定圧力に抵抗することができ、睡眠者の頭がインサートコアの抵抗に打ち勝って支持突出部上に位置した場合にも、睡眠者の頭が支持突出部に留まらずに自然に反対側の枕本体の表面に案内されることによって、睡眠者の頭が正面に位置する姿勢によって発生するいびきを根本的に遮断できるという効果がある。
【００１８】
また、本発明によると、前記支持突出部及びインサートコアを着脱式の複数の組立体構成で製作するので、睡眠者の身体条件及び睡眠習慣に応じて高低を効果的に調節できるという効果がある。
【図面の簡単な説明】
【００１９】
【図１】従来技術に係るいびき防止用枕を示した斜視図である。
【図２】本発明の実施形態に係る睡眠時無呼吸改善及びいびき防止用枕の構成を示した斜視図である。
【図３】図２の正面図である。
【図４】図２の分解斜視図である。
【図５】本発明の実施形態に係る睡眠時無呼吸改善及びいびき防止用枕の他の実施形態を示した組立式分解図である。
【発明を実施するための形態】
【００２０】
以下、本発明に係る睡眠時無呼吸改善及びいびき防止用枕の好適な実施形態を添付の各図面に基づいて詳細に説明する。
【００２１】
参考までに、本明細書及び特許請求の範囲に使用された用語及び単語は、通常的又は辞典的な意味に限定して解釈してはならず、発明者が自分の発明を最善の方法で説明するために用語の概念を適宜定義できるという原則に立脚し、本発明の技術的思想に符合する意味及び概念で解釈しなければならない。
【００２２】
また、本明細書に記載した実施形態及び図面に示した構成は、本発明の最も好適な一実施形態に過ぎなく、本発明の技術的思想を全て表すものではないので、本出願時点はもちろん、その後にこれらに取って代わる多様な均等物及び変形例があり得ることを理解しなければならない。
【００２３】
以下、添付の図２〜図５を参照して本発明の好適な実施形態を詳細に説明する。
【００２４】
図示したように、本発明に係る睡眠時無呼吸改善及びいびき防止用枕は、睡眠者の頭及び首を支持する枕本体１００；及び前記枕本体１００の中心部に突出形成される支持突出部２００；を含んで構成される。
【００２５】
まず、前記枕本体１００は、睡眠を取ったり寝る姿勢の睡眠者の頭及び首を楽に支えるための構成であって、枕本体１００は、内部に緩衝力を有するクッション素材（綿、スポンジなど）を入れて縫合したり、ラテックス又はメモリフォームなどの素材で製作することができる。
【００２６】
本発明に係る前記枕本体１００には、中心部から両側端部に行くほど枕の厚さが増加する傾斜湾曲部１０１が形成される。
【００２７】
すなわち、前記傾斜湾曲部１０１の屈曲面は、横向き寝の姿勢で睡眠を取る睡眠者の頭が枕本体１００の外側に離脱できないように抑制する機能的な役割をする。
【００２８】
また、前記枕本体１００の上面には、横向き寝の姿勢で睡眠を取る睡眠者の頭が動くことを最大限抑制すると同時に、睡眠者の耳を押さえる圧力を最小化し、負担を減少できるようにする頭支え溝１１０が形成される。
【００２９】
一方、前記支持突出部２００は、前記枕本体１００の中心部に突出形成されるものであって、横向き寝の姿勢で睡眠を取る睡眠者の後頭部を安定的に支持する役割をする。
【００３０】
すなわち、前記支持突出部２００は、横向き寝の姿勢で睡眠を取る睡眠者の頭が正面に位置しないように壁体としての役割をすることによって、仰向け寝の状態で睡眠を取る場合に発生し得るいびき発生を防止する。
【００３１】
特に、本発明に係る前記支持突出部２００は、睡眠者の頭と接触する面積を増大させ、安楽な接触を誘導できる曲率パターン部２１０の構造からなる。
【００３２】
具体的に、前記曲率パターン部２１０は、前記枕本体１００の表面から勾配が漸次増加する凹状の曲面を有する一対の第１曲面部２１１と、前記一対の第１曲面部２１１の先端を相互連結し、中央に向けて勾配が漸次緩やかに減少する凸状の曲面を形成した第２曲面部２１２とから構成される。
【００３３】
このような曲率パターン部２１０は、横向き寝の姿勢で睡眠を取る睡眠者の後頭部を一層楽な状態で支持することができ、それによる安楽な睡眠を誘導できるという効果を提供する。
【００３４】
また、前記枕本体１００を側面から見たとき、前記支持突出部２００の両側面は、上方向に行くほど幅が緩やかに減少する曲面の形態からなる（図２参照）。
【００３５】
そして、前記支持突出部２００の構成によると、睡眠者が枕本体１００の一側と他側を自由に交互に使用できるという長所がある。
【００３６】
併せて、前記支持突出部２００の内部には、支持突出部の形状及び強度を高めるためのインサートコア３００が設置される。
【００３７】
ここで、前記インサートコア３００は、前記枕本体１００の内部に設置される水平部材３１０と、前記水平部材３１０と直角な方向に立てられ、前記支持突出部２００内に位置する垂直部材３２０とから構成される。
【００３８】
このような前記インサートコア３００は、外部の圧力によって弾力的に曲がった後、再び元の位置に復帰できるように弾性強度を有するゴムで製作することが好ましいが、必ずしもこれに限定せず、弾性強度を有するシリコーンなどの合成樹脂で製作することもできる。
【００３９】
すなわち、前記支持突出部２００内にインサートコア３００を追加的に構成することによって前記支持突出部２００の強度を一層向上できるので、支持突出部２００の形状及び構造が容易に変形することを防止することができる。さらに、横向き寝の姿勢で睡眠を取る睡眠者の頭が前記支持突出部２００を乗り越えようとする所定圧力に抵抗することができ、睡眠者が容易に仰向け寝の姿勢になる現象を最大限抑制できると同時に、睡眠者が仰向け寝の姿勢になるための頭の回転力が大きく作用し、前記支持突出部２００及びインサートコア３００の抵抗に打ち勝って、睡眠者の頭が支持突出部２００上に位置した場合にも、前記支持突出部２００の曲面構造及びインサートコア３００の弾性強度により、睡眠者の頭が支持突出部２００に留まることなく自然に反対側の枕本体の表面に案内されることによって、睡眠者の頭が正面に位置する姿勢によって発生するいびきを根本的に遮断できるという効果がある。
【００４０】
そして、前記インサートコア３００を前記枕本体１００の側面から見たとき、前記インサートコア３００の両側面は、上方向に行くほど幅が緩やかに減少する曲面の形態からなる。
【００４１】
また、図４に示したように、前記枕本体１００及び支持突出部２００の一側には、前記インサートコア３００が着脱可能になるようにコア出入り口１５０が形成される。
【００４２】
すなわち、前記インサートコア３００は、睡眠者が必要に応じて選択的に設置又は除去できるようにする。
【００４３】
また、図５に示したように、前記支持突出部２００及びインサートコア３００は、睡眠者の身体条件及び睡眠習慣に応じて突出する高低を調節できる着脱式の複数の組立体構成からなる。
【００４４】
このために、前記支持突出部２００及びインサートコア３００は多数の構成に分割され、分割された多数の組立体の上部及び下部には、相補的な着脱結合が可能な締結突起３５０及び締結溝２５０がそれぞれ形成される。
【００４５】
このような前記支持突出部２００及びインサートコア３００の組立体構成は、使用する人の身体構造や趣向に応じて支持突出部の高低を効果的に調節することができ、安楽な睡眠を誘導するにおいて非常に有用な効果を提供する。
【００４６】
以上で説明した本発明は、上述した実施形態及び添付の各図面によって限定されるものではなく、本発明の技術的思想を逸脱しない範囲内で様々な置換、変形及び変更が可能であることは、本発明の属する技術分野で通常の知識を有する者にとって明白であろう。
【図１】
2021523818.tif 000003
【図２】
2021523818.tif 000004
【図３】
2021523818.tif 000005
【図４】
2021523818.tif 000006
【図５】
2021523818.tif 000007
【国際調査報告】
2021523818.tif 000008
2021523818.tif 000009
2021523818.tif 000010
2021523818.tif 000011